(57)【要約】      （修正有）【課題】乗りかご内に大きく突出させることなく、かつ、この乗りかごに特別な加工をする必要がなく乗りかご内に装備させることができるエレベータの照明装置の提供。【解決手段】乗りかご１内に形成される面部、すなわち側板３、かご扉５、天枠６のそれぞれに設けられ、発光面を表向きとして取り付けたエレクトロルミネッセンス８，８Ａ，８Ｂと、例えば側板３のエレクトロルミネッセンス８に隣接して取り付けられ、エレクトロルミネッセンス８と厚さが略同一のスペーサシートと、エレクトロルミネッセンス８及びスペーサシートの上から貼り付けられる透光性化粧シートとを備えた。なお、かご扉５、天枠６のエレクトロルミネッセンス８Ａ，８Ｂ部分においても、上述と同様のスペーサシート及び透光性化粧シートを備えた構成にしてある。【選択図】図１
2007331875.tif 000002
【特許請求の範囲】
【請求項１】
エレベータの乗りかご内を照明するエレベータの照明装置において、
前記乗りかご内に形成される面部に設けられ、発光面を表向きとして取り付けた面発光素子と、この面発光素子に隣接して取り付けられ、前記面発光素子と厚さが略同一のスペーサシートと、前記面発光素子及び前記スペーサシートの上から貼り付けられる透光性シートフィルムとを備えたことを特徴とするエレベータの照明装置。
【請求項２】
請求項１記載の発明において、
前記面部は、側板、かご扉、天枠、天井の少なくとも１つであることを特徴とするエレベータの照明装置。
【請求項３】
請求項１記載の発明において、
前記面発光素子は、有機あるいは無機エレクトロルミネッセンスとしたことを特徴とするエレベータの照明装置。
【請求項４】
請求項１〜３のいずれか１項に記載の発明において、
前記エレベータの呼びが所定時間継続して発生しないとき、信号を出力する呼び無し検出手段と、この検出手段の信号により、前記面発光素子の電源を遮断する照明消灯手段を備えたことを特徴とするエレベータの照明装置。
【請求項５】
請求項１〜３のいずれか１項に記載の発明において、
停電を検出すると、前記面部に設けた前記面発光素子を点灯させる停電時点灯装置を備えたことを特徴とするエレベータの照明装置。
【発明の詳細な説明】
【技術分野】
【０００１】
本発明は、エレベータの乗りかご内を照明する照明装置に関する。
【背景技術】
【０００２】
従来のエレベータの照明装置として、エレベータの乗りかごの一部を構成する側板と、この側板の面部に取り付けられ、冷陰極蛍光ランプを内蔵し、この冷陰極蛍光ランプから発する光をかご内部方向に透過する照明板を設けたランプボックスとを備えた構成が開示されている。また、側板にランプボックスを埋め込むような大きな開口部を穿設し、ランプボックスを側板に内蔵させることで、乗りかご内に突出しない構成も開示されている（特許文献１参照）。
【特許文献１】特開２００４−２０３６１１公報
【発明の開示】
【発明が解決しようとする課題】
【０００３】
上述した従来技術は、側板の面部にランプボックスを取り付ける構成としたものは、かご内に照明装置が大きく突出することになり、乗りかご内が狭くなり、また、大きく突出しているのでいたずらされ易く、さらに意匠的にも見栄えが悪くなる問題がある。また、側板にランプボックスを埋め込むようにしたものは、側板に大掛かりな加工作業が必要となるばかりでなく、側板の強度を低下させるといった問題がある。
【０００４】
本発明はこのような従来技術における実状を鑑みてなされたもので、その目的は、乗りかご内に大きく突出させることなく、かつ、この乗りかごに特別な加工をする必要がなく乗りかご内に装備させることができるエレベータの照明装置を提供することにある。
【課題を解決するための手段】
【０００５】
この目的を達成するために、本発明は、エレベータの乗りかご内を照明するエレベータの照明装置において、前記乗りかご内に形成される面部に設けられ、発光面を表向きとして取り付けた面発光素子と、この面発光素子に隣接して取り付けられ、前記面発光素子と厚さが略同一のスペーサシートと、前記面発光素子及び前記スペーサシートの上から貼り付けられる透光性シートフィルムとを備えたことを特徴とするエレベータの照明装置。
【０００６】
このように構成した本発明は、乗りかご内に形成される面部に、厚さを薄く設定することができる面発光素子を設けたことで、乗りかご内にほとんど突出させることがなくなる。これにより、乗りかご内を広くすることができるとともに、突出に伴ういたずらの発生を少なくすることができる。さらに、面発光素子と厚さが略同一のスペーサシートを設けたことにより、面発光素子と面部との段差を解消することができる。したがって、表面に透光性シートフィルムが貼り付き易くなり、乗りかごの優れた意匠性を確保できる。さらに、面発光素子を面部の表面から貼り付けるようにしているので、乗りかごに特別な加工を必要とせず、面部の強度低下を防ぐことができる。
【０００７】
また、本発明は前記発明において、前記面部は、側板、かご扉、天枠、天井の少なくとも１つであることを特徴としている。
【０００８】
また、本発明は前記発明において、前記面発光素子は、有機あるいは無機エレクトロルミネッセンスとしたことを特徴としている。
【０００９】
また、本発明は前記発明において、前記エレベータの呼びが所定時間継続して発生しないとき、信号を出力する呼び無し検出手段と、この検出手段の信号により、前記面発光素子の電源を遮断する照明消灯手段を備えたことを特徴としている。このように構成した本発明は、エレベータに呼びが無く、乗客が利用しないときには面発光素子を発光させないようにしたので、電力の消費を抑えることができる。
【００１０】
また、本発明は、前記発明において、停電を検出すると、前記面部に設けた前記面発光素子を点灯させる停電時点灯装置を備えたことを特徴としている。このように構成した本発明は、停電時でも乗りかご内を照明させることができる。
【発明の効果】
【００１１】
本発明は、乗りかご内に形成される面部に設けられ、発光面を表向きとして取り付けた面発光素子と、この面発光素子に隣接して取り付けられ、面発光素子と厚さが略同一のスペーサシートと、面発光素子及びスペーサシートの上から貼り付けられる透光性シートフィルムを備えたことから、乗りかご内に大きく突出させることがなく、したがって、乗りかご内を広くすることができるとともに、突出に伴ういたずらの発生を少なくすることができ、また、乗りかごの優れた意匠性を確保できる。さらに、乗りかごに特別な加工をする必要がなく、これにより、乗りかご内の面部の強度低下を防ぐことができる。
【発明を実施するための最良の形態】
【００１２】
以下、本発明に係るエレベータの照明装置を実施するための最良の形態を図に基づいて説明する。
【００１３】
［本実施形態の構成］
図１は、本発明に係るエレベータの照明装置の一実施形態を構成する面発光素子が装備されたエレベータの乗りかご内の要部斜視図、図２は、図１に示すエレベータの乗りかご内の側板に取り付けられた本実施形態を構成する面発光素子の拡大断面図である。図３は、本実施形態に備えられる電気回路を示す回路図である。
【００１４】
本実施形態に係る照明装置が備えられるエレベータは、図１に示すように、乗りかご１と、この乗りかご１の下面を形成するかご床２と、このかご床２の周囲に立設される側板３と、乗りかご１の上面を形成する天井４と、乗客の乗降時に開閉するかご扉５と、このかご扉５の上部と天井４の間に配置される天枠６と、乗りかご１内に設置されるかご内操作盤７とを有する。このエレベータに備えられる本実施形態は、側板３の表面部の例えば上方部分に貼り付けられる面発光素子、すなわち薄形フィルム状のエレクトロルミネッセンス８と、かご扉５の表面の例えば上方部分に貼り付けられる面発光素子、すなわち薄形フィルム状のエレクトロルミネッセンス８Ａと、天枠６の表面の例えば中央位置に貼り付けられる面発光素子すなわち薄形フィルム状のエレクトロルミネッセンス８Ｂを備えている。なお、前述したエレクトロルミネッセンス８，８Ａ，８Ｂのそれぞれは、例えば厚さが０．５ｍｍ程度に設定され、両面テープ（図示省略）等によって貼り付けられる。
【００１５】
また、例えば図１に示した側板３には、図２に示すように、エレクトロルミネッセンス８に隣接して取り付けられ厚さが略同一のスペーサシート９と、エレクトロルミネッセンス８及びスペーサシート９の上から貼り付けられる光を通す仕様の透光性シートフィルム、すなわち透光性化粧シート１０と、乗りかご１上の照明電源（図示省略）へ接続されるエレクトロルミネッセンス８の電源線１１とを備えている。なお、かご扉５および天枠６においても、エレクトロルミネッセンス８Ａ、８Ｂの他に、上述の図２に示す側板３におけるのと同様にスペーサシート９、透光性化粧シート１０、電源線１１を備えている。
【００１６】
また、本実施形態に含まれる電気回路は、図３に示すように、電源Ｕ、Ｖと、前述のかご内操作盤７の操作ボックス内に設けられる乗りかご１内の照明の点灯、消灯を切り替える手動のスイッチ１０１と、側板３の表面に配置したエレクトロルミネッセンス８の側板用照明灯１０２と、かご扉５の表面に配置したエレクトロルミネッセンス８Ａのかご扉用照明灯１０２Ａと、天枠６の表面に配置したエレクトロルミネッセンス８Ｂの天枠用照明灯１０２Ｂとを備えている。また、エレベータが停止後、エレベータの呼びが所定時間継続して発生しないとき、信号を出力する呼び無し検出手段、すなわち制御部１０３と、この制御部１０３の信号を検出したときにエレクトロルミネッセンス８，８Ａ，８Ｂの電源を遮断する照明消灯手段、すなわち自動消灯検出接点１０４を備えている。さらに、エレベータの照明が停電したことを検出する停電検出装置１０５と、停電を検出した時に切り替わる接点１０５Ａ、１０５Ｂ及び停電になると天枠用照明灯１０２Ｂを非常灯として所定時間点灯させる蓄電装置１０６とを備えている。上述した天枠用照明灯１０２Ｂ、接点１０５Ａ、１０５Ｂ、及び蓄電装置１０６は、停電検出装置１０５の停電の検出により、エレクトロルミネッセンス８Ｂを点灯させる停電時点灯装置を構成している。
【００１７】
［本実施形態の動作］
このように構成した本実施形態では、エレベータが通常運転時には、乗りかご１内の操作盤７の操作ボックス内にある手動のスイッチ１０１の接点が閉じた状態に保持される。このような状態にあって、エレベータの呼びが所定時間継続して発生したときには、図３に示す側板用照明灯１０２、かご扉用照明灯１０２Ａ、天枠用照明灯１０２Ｂは点灯する。これによって、エレクトロルミネッセンス８，８Ａ，８Ｂが発光し、乗りかご１内が照明される。
【００１８】
また、乗りかご１が停止後、エレベータの呼びが所定時間継続して発生しないときは、このことが制御部１０３によって検出され、この制御部１０３から信号が出力され、この信号により自動消灯検出接点１０４が開かれる。したがって、エレクトロルミネッセンス８，８Ａ，８Ｂの電源が遮断され、側板用照明灯１０２、かご扉用照明灯１０２Ａ、天枠用照明灯１０２Ｂは、消灯する。これによって、乗りかご１内を照明していたエレクトロルミネッセンス８，８Ａ，８Ｂの発光が停止する。
【００１９】
なお、停電検出装置１０５によって停電が検出されたときは、接点１０５Ａと接点１０５Ｂが蓄電装置１０６側の接点に導通する。これにより、天枠用照明灯１０２Ｂの電源にのみ電圧が供給され、この天枠用照明灯１０２Ｂが点灯する。これによって、エレクトロルミネッセンス８Ｂが非常灯として所定時間点灯する。
【００２０】
［本実施形態の効果］
このように構成した本実施形態によれば、乗りかご１内に形成される側板３、かご扉５、天枠６に設けられ、それぞれの発光面を表向きとして取り付けられたエレクトロルミネッセンス８，８Ａ，８Ｂと、これらのエレクトロルミネッセンス８，８Ａ，８Ｂに隣接して取り付けられ、エレクトロルミネッセンス８，８Ａ，８Ｂと厚さが略同一のスペーサシート９と、エレクトロルミネッセンス８，８Ａ，８Ｂ及びスペーサシート９の上から貼り付けられる透光性化粧シート１０を備えたことから、乗りかご１内に大きく突出させることがない。したがって、乗りかご１内を広くすることができるとともに、突出に伴ういたずらの発生を少なくすることができ、また、乗りかご１の優れた意匠性を確保できる。さらに、乗りかご１に特別な加工をする必要がなく、これにより、乗りかご１内の側板３等の面部の強度低下を防ぐことができる。また、乗りかご１に特別な加工を要しないので、既設エレベータにも簡単に取り付けることができる。
【００２１】
また、天井に照明器具や照明カバー、取り付金具を備える必要がなく、これに伴って乗りかご１の重量を軽くすることができる。
【００２２】
さらに、停電時には、エレクトロルミネッセンス８Ｂを非常灯とすることができるので、専用の非常灯が不要となる。なお、この場合、乗客の間近で非常灯が点灯するので、乗りかご１内の乗客に明るさと安心感を与えることができる。
【００２３】
［他の実施形態］
なお、本実施形態では、エレクトロルミネッセンス８，８Ａ，８Ｂを側板３の上方部分に、また、かご扉５の上方部分に、さらに、天枠６の中央位置にそれぞれ貼り付けてあるが、本発明はこのように構成することに限られず、側板３、かご扉５、及び天枠６の任意の位置に貼り付けるようにしてもよい。また、上述の実施形態におけるように、側板３、かご扉５、天枠６に備えることには限られず、例えば、乗りかご１内の天井や幅木、かご柱、かご内操作盤７などに貼り付けてもよい。さらに、エレクトロルミネッセンス８，８Ａ，８Ｂの大きさや、好みの意匠に応じて、一つの面部、例えば側板３等に複数個のエレクトロルミネッセンス８，８Ａ，８Ｂを取り付けるようにしてもよい。    
【図面の簡単な説明】
【００２４】
【図１】本発明に係るエレベータの照明装置の一実施形態を構成する面発光素子が装備されたエレベータの乗りかご内の要部斜視図ある。
【図２】図１に示すエレベータの乗りかご内の側板に取り付けられた本実施形態を構成する面発光素子の拡大断面図である。
【図３】本実施形態に備えられる電気回路を示す回路図である。
【符号の説明】
【００２５】
１    乗りかご
３    側板
４    天井
５    かご扉
６    天枠
８、８Ａ、８Ｂ  エレクトロルミネッセンス
９    スペーサシート
１０    透光性化粧シート
１０２    側板用照明灯
１０２Ａ  かご扉用照明灯
１０２Ｂ  天枠用照明灯（停電時点灯装置）
１０３    制御部（呼び無し検出手段）
１０４    自動消灯検出接点（照明消灯手段）
１０５    停電検出装置
１０５Ａ、１０５Ｂ  停電検出接点（停電時点灯装置）
１０６    蓄電装置（停電時点灯装置）
【図１】
2007331875.tif 000003
【図２】
2007331875.tif 000004
【図３】
2007331875.tif 000005